(57)【要約】【課題】極めて簡略化された構造でありながら、上下方向の揺れに対する耐久性に富み、しかも水平方向の移動距離を制限することが可能な免震装置を提供する。【解決手段】下部免震ベース１と上部免震ベース２とにそれぞれ取り付けたスチールボール受台３の間にスチールボール４を装着する。下部免震ベース上１の略中央部分に固定柱５を立設する。上部免震ベース２の略中央部に開口部７を設けて該固定柱５を上部免震ベース２の高さにまで突出せしめる。該固定柱５の側面と上部免震ベース２の開口部７側縁とを平面円形状の板バネ６で連結する。下部免震ベース１と上部免震ベース２とが水平方向にずれたときに該板バネ６が変形するように設ける。【選択図】図１
2007303621.tif 000002
【特許請求の範囲】
【請求項１】
下部免震ベースと上部免震ベースとにそれぞれ取り付けたスチールボール受台の間にスチールボールを装着することで、下部免震ベース上で上部免震ベースを水平方向へ移動自在に設置した免震装置において、下部免震ベース上に固定柱を立設し、該固定柱と上部免震ベースとを平面円形状の板バネで連結し、下部免震ベースと上部免震ベースとが水平方向にずれたときに該板バネが変形するように設けたことを特徴とする免震装置。
【請求項２】
前記固定柱は、前記下部免震ベースの略中央部分に立設され、前記上部免震ベースの略中央部に開口部を設けて該固定柱を上部免震ベースの高さにまで突出せしめ、該固定柱の側面と上部免震ベースの開口部側縁とを前記板バネで連結した請求項１記載の免震装置。
【請求項３】
前記スチールボール受台は、前記下部免震ベースと上部免震ベースとの少なくとも四隅に配設され、前記板バネは、前記開口部内の前記固定柱の左右に一対配設された請求項１又は２記載の免震装置。
【請求項４】
前記固定柱は、前記開口部内に複数本立設され、前記板バネは、該固定柱と前記開口部との間に複数個配設された請求項１乃至３いずれか記載の免震装置。
【発明の詳細な説明】
【技術分野】
【０００１】
本発明は、例えば大型コンピューターやサーバーラック等のＩＴ関連機器、あるいは、その他各種の装置や機器などを地震の振動から守ることができる免震装置に関するものである。
【背景技術】
【０００２】
従来、当出願人は、特許文献１に記載の免震装置を提案している。この免震装置は、地震等の振動を軽減し、上部免震ベース上に載置したキャビネット等の倒壊ならびに損傷を防止できるようにした免震装置である。
【０００３】
すなわち、引用文献１では、下部免震ベースと上部免震ベースとに取り付けたスチールボール受台との間にスチールボールを装着することで、下部免震ベース上に上部免震ベースを前後左右に自由に移動できるように設置している。この構造により、地震が発生した際に、上部免震ベースの振動を緩和軽減するものである。
【０００４】
また、この免震装置では、下部免震ベースに立設した転倒防止シャフトに、円盤を取り付けた転倒防止プレートを挿入し、この転倒防止シャフトに、転倒防止用スプリングを巻回し、さらに、転倒防止シャフトの上部にスプリング押え板をネジ込む構造を採用している。これらの構造により、地震が発生した時、上部免震ベースの移動距離ならびに移動範囲が制限されて、上部免震ベースが下部免震ベースから外れて被支持装置が転倒しないようにしている。
【０００５】
更に、免震装置の下部垂直免震ベースと、上部垂直免震ベースとの間に、エアークッション装置を取り付け、下部垂直免震ベースと上部垂直免震ベースにまたがって垂直免震用スプリングを張設している。こうすることで、上下に振動する縦揺れの地震が発生した時、下部垂直免震ベースと上部垂直免震ベースとの間に設けたエアークッション装置ならびに垂直免震用スプリングの作用により、上部垂直免震ベースの縦揺振動を緩和軽減するものである。
【特許文献１】実用新案登録第３０４６２３０号公報
【発明の開示】
【発明が解決しようとする課題】
【０００６】
特許文献１の免震装置では、エアークッション装置や垂直免震用スプリング、あるいは、転倒防止シャフトや転倒防止プレートなど、上下方向の揺れに対する対策が数多く講じられている。そのため、免震装置自体の構造が大掛かりなものになってしまう不都合があった。
【０００７】
また、特許文献１では、水平方向の揺れに対して、下部免震ベースと上部免震ベースとに取り付けたスチールボール受台との間にスチールボールを装着したものであるので、水平方向への移動距離が大きくなると、スチールボール受台からスチールボールが外れる虞もあった。
【０００８】
そこで本発明は上述の課題を解消すべく創出されたもので、極めて簡略化された構造でありながら、上下方向の揺れに対する耐久性に富み、しかも水平方向の移動距離を制限することが可能な免震装置の提供を目的とするものである。
【課題を解決するための手段】
【０００９】
本発明の第１の手段は、下部免震ベース１と上部免震ベース２とにそれぞれ取り付けたスチールボール受台３の間にスチールボール４を装着することで、下部免震ベース１上で上部免震ベース２を水平方向へ自在に移動できるように設置した免震装置において、下部免震ベース上１に固定柱５を立設し、該固定柱５と上部免震ベース２とを平面円形状の板バネ６で連結し、下部免震ベース１と上部免震ベース２とが水平方向にずれたときに該板バネ６が変形するように設けたことにある。
【００１０】
第２の手段の固定柱５は、前記下部免震ベース１の略中央部分に立設され、前記上部免震ベース２の略中央部に開口部７を設けて該固定柱５を上部免震ベース２の高さにまで突出せしめ、該固定柱５の側面と上部免震ベース２の開口部７側縁とを前記板バネ６で連結したものである。
【００１１】
第３の手段の前記スチールボール受台３は、前記下部免震ベース１と上部免震ベース２との少なくとも四隅に配設され、前記板バネは、前記開口部内の前記固定柱の左右に一対配設されたものである。
【００１２】
第４の手段の前記固定柱５は、前記開口部７内に複数本立設され、前記板バネ６は、該固定柱５と前記開口部７との間に複数個配設されたことを課題解消のための手段とする。
【発明の効果】
【００１３】
本発明の請求項１により、下部免震ベース上１に固定柱５を立設し、該固定柱５と上部免震ベース２とを平面円形状の板バネ６で連結しているので、縦揺れの如く、上下方向へ揺れる振動でも、該バネ６が、下部免震ベース１と上部免震ベース２との連結状態を強固に維持することができる。この結果、極めて簡略化された構造でありながら、上下方向の揺れに対して極めて耐久性に優れるものになった。
【００１４】
また、下部免震ベース１と上部免震ベース２とが水平方向にずれたときに該板バネ６が変形するように設けているので、水平方向の移動距離を制限することも可能になっている。この結果、水平方向への移動距離が大きくなって、下部免震ベース１から上部免震ベース２が外れる虞も解消された。また、板バネ６の変形によって、上部免震ベース２上に載置した被支持装置Ｐの移動速度を抑止する作用もあるので、被支持装置Ｐ内に収容した各機器等に生じる損傷を少なくすることもできる。
【００１５】
請求項２により、固定柱５は、前記下部免震ベース１の略中央部分に立設され、前記上部免震ベース２の略中央部に開口部７を設けて該固定柱５を上部免震ベース２の高さにまで突出せしめ、該固定柱５の側面と上部免震ベース２の開口部７側縁とを前記板バネ６で連結したものであるから、本発明免震装置を、極めて薄く成形することが可能になった。したがって、大型コンピューターやサーバーラック等のＩＴ関連機器の下に設置して使用するのに極めて好適である。しかも、薄い形状の免震装置は汎用性に富み、その他各種の装置や機器などに装着することも可能である。
【００１６】
請求項３のように、スチールボール受台３を、前記下部免震ベース１と上部免震ベース２との少なくとも四隅に配設し、前記板バネを、前記開口部内の前記固定柱の左右に一対配設することで、極めてシンプルな構造でありながら、垂直方向および水平歩行への耐久性に富む免震装置の提供が可能になる。このような免震装置によると、一台の免震装置の上に一台の被支持装置Ｐを載置することは勿論、数台の免震装置を併設し、これらの上に大型の被支持装置Ｐを載置することも可能である。
【００１７】
請求項４の如く、固定柱５を、前記開口部７内に複数本立設し、前記板バネ６を、該固定柱５と前記開口部７との間に複数個配設するようにして、これらの固定柱５や板バネ６の数を変更自在にすることで、現存する装置ばかりか、将来提供される装置を含め、あらゆる機器に適した免震装置を提供することが可能である。
【００１８】
このように、本発明によると、極めて簡略化された構造でありながら、上下方向の揺れに対する耐久性に富み、しかも水平方向の移動距離を制限することが可能になるなどといった有益な種々の効果を奏するものである。
【発明を実施するための最良の形態】
【００１９】
本発明の最良の形態は、下部免震ベース１と上部免震ベース２とにそれぞれ取り付けたスチールボール受台３の間にスチールボール４を装着し、下部免震ベース１上で上部免震ベース２を水平方向へ自在に移動できるように設置する。下部免震ベース１の略中央部分に固定柱５を立設する。上部免震ベース２の略中央部に開口部７を設けて該固定柱５を上部免震ベース２の高さにまで突出せしめる。スチールボール受台３を、前記下部免震ベース１と上部免震ベース２との少なくとも四隅に配設する。前記板バネを、前記開口部内の前記固定柱の左右に一対配設し、固定柱５の側面と上部免震ベース２の開口部７側縁とを該板バネ６で連結する。下部免震ベース１と上部免震ベース２とが水平方向にずれたときに該板バネ６が変形するように設けることで当初の目的を達成するものである。
【実施例】
【００２０】
本発明免震装置は、例えば大型コンピューターやサーバーラック等のＩＴ関連機器等の被支持装置Ｐの下に装着して使用するものであり、床面上に載置する下部免震ベース１と、被支持装置Ｐを載置する上部免震ベース２とが、板バネ６によって水平移動自在に連結されたものである（図６参照）。
【００２１】
下部免震ベース１は、平面矩形状の板体で構成され、該下部免震ベース１の上面にスチールボール受台３を設けている（図２参照）。このスチールボール受台３は、この下部免震ベース１に重合するように設けられた上部免震ベース２の下面にも、対を成すように設けられている。そして、上下のスチールボール受台３の間に介したスチールボール４によって、下部免震ベース１と上部免震ベース２との水平方向への移動を自在にしている（図３参照）。図１に示すスチールボール受台３は、前記下部免震ベース１と上部免震ベース２との少なくとも四隅に配設されているが、このスチールボール受台３の数や配設位置は適宜変更できるものである。また、スチールボール受台３は、スチールボール４が限界まで移動したときに、この移動を防止するような凹状に形成されている（図３参照）。
【００２２】
下部免震ベース上１には固定柱５が立設されている（図１参照）。この固定柱５は、下部免震ベース１に固定されており、図示例では、下部免震ベース１の略中央部分に立設している。一方、前記上部免震ベース２の略中央部に開口部７を設けてあり、該固定柱５の上端と上部免震ベース２の高さとが略一致するまで突出させている（図４参照）。そして、該固定柱５と上部免震ベース２とを前記板バネ６で連結し、下部免震ベース１と上部免震ベース２とが水平方向にずれたときに該板バネ６が変形するように設けている（図５参照）。図示例では、該固定柱５の側面と上部免震ベース２の開口部７側縁とを前記板バネ６で連結している。また、板バネは、前記開口部内の前記固定柱の左右に一対配設されている（図１参照）。このとき、固定柱５を開口部７内に複数本立設すると共に、板バネ６を該固定柱５と前記開口部７との間に複数個配設可能に設けておき、板バネ６の数を適宜増減できるようにすることも可能である（図示せず）。また、固定柱５の立設位置は下部免震ベース１の略中央に設置することで、板バネ６の配置を均等にすることが可能になる。したがって、複数の固定柱５を立設する場合は、下部免震ベース１の略中央に限られるものではなく、固定柱５や板バネ６の数等に応じて任意の位置に立設することができる。
【００２３】
板バネ６は、スチール製やステンレス製など、弾性強度に優れた板体を円形状に丸めて使用する。このような板バネ６によると、円形が変形する方向への弾性力が得られると共に、板体の幅方向への変形を抑止する作用が生じる。したがって、下部免震ベース１と上部免震ベース２とを、固定柱５を介して板バネ６にて連結することで、縦揺れが生じても下部免震ベース１と上部免震ベース２とを板バネ６が強固に連結しているので、上部免震ベース２が下部免震ベース１から外れずに済む。また、横揺れに対しては、板バネ６の変形により生じる弾性力にて、水平方向の移動を規制できるので、下部免震ベース１から上部免震ベース２が外れる虞もない。
【００２４】
本発明の使用例を図６に示している。図示のように、被支持装置Ｐの床面接に合わせたサイズの本発明免震装置を使用して被支持装置Ｐを設置する外、本発明免震装置を複数台併設し、大型の被支持装置Ｐを設置するなど、その使用態様は自由に変更することができる。
【００２５】
尚、本発明における図示例の各構成は、本発明の一実施例に過ぎず、例えばスチールボール４や板バネ６における材質の変更、並びに、各構成部材の形状、寸法等の設計変更、形態の変更など、現在知られている技術範囲で自由に変更することができるものである。
【図面の簡単な説明】
【００２６】
【図１】本発明の一実施例を示す平面図である。
【図２】本発明の一実施例を示す側面図である。
【図３】本発明のスチールボール受台とスチールボールとを示す側面図である。
【図４】本発明の固定柱と板バネとを示す要部側面図である。
【図５】本発明の上部免震ベースが水平移動した状態を示す平面図である。
【図６】本発明の使用状態を示す側面図である。
【符号の説明】
【００２７】
Ｐ  被支持装置
１  下部免震ベース
２  上部免震ベース
３  スチールボール受台
４  スチールボール
５  固定柱
６  板バネ
７  開口部
【図１】
2007303621.tif 000003
【図２】
2007303621.tif 000004
【図３】
2007303621.tif 000005
【図４】
2007303621.tif 000006
【図５】
2007303621.tif 000007
【図６】
2007303621.tif 000008